(57)【特許請求の範囲】
【請求項１】
内部に収容されるＩＤカードなどのカードの表示が外から見えるようにしたカバー部と、該カバー部との間でカード収容室を形成すると共に下部にカードの挿入用の下方開口部を開設したケース本体と、該下方開口部の付近に設けられると共に上記カード収容室内に収容されたカードの落下を防止するストッパと、上記ケース本体または上記カバー部の上記下方開口部付近に下方に開放して形成された切欠き部から構成されることを特徴とするヘルメット用カードケース。
【請求項２】
上記カバー部をヘルメットの側面部に形成すると共に、上記ケース本体を該側面部の内側に設けたことを特徴とする請求項１に記載のヘルメット用カードケース。
【請求項３】
上記カード収容室内に、カバー部を固定する手段を設けたことを特徴とする請求項１に記載のヘルメット用カードケース。
【請求項４】
上記カバー部を固定する手段が、上記カバー部の裏側から前記カード収容室内に突出して、上記ケース本体との間でカード挿入用のスリットを形成する押さえリブであることを特徴とする請求項３に記載のヘルメット用カードケース。
【請求項５】
上記カバー部を固定する手段が、上記カバー部との間でカードを弾性的に挟むための上記ケース本体に取り付けられた板バネであることを特徴とする請求項３に記載のヘルメット用カードケース。
【請求項６】
上記カバー部を固定する手段が、上記カバー部の裏側から前記カード収容室内に突出した押えリブと、上記板バネから構成されることを特徴とする請求項３に記載のヘルメット用カードケース。
【請求項７】
請求項１、３、４、５または６に記載のカードケースをヘルメットの側面部に設けたことを特徴とするカードケースを備えたヘルメット。
【発明の詳細な説明】
【０００１】
【発明の属する技術分野】
本発明は、例えば、建設現場や工場などヘルメットを装着する場所において、作業員が入退場などの際に提示するＩＤカードなどのカード類を納めるためのヘルメット用カードケースおよびカードケースを備えたヘルメットに関する。
【０００２】
【従来の技術】
従来、上記カード類は、作業服のポケットに入れたり紐やチェーンに繋いで携帯し、入退場の際に、手に持って差し示していた。
【０００３】
しかしながら、カードを手に持って差し示すのは煩わしいだけでなく、ポケットに出し入れする際に落としたり紛失し易く、また、紐やチェーンが作業の邪魔になって危険である等の問題点があった。
【０００４】
【発明が解決しようとする課題】
本発明は、上記従来の問題点を解決するためになされたもので、その目的とするところは、カードをヘルメットの側部に保持せしめて、そのカードの表示内容が外部から容易に認識できるだけでなく、カードを迅速かつ確実に、しかも容易に挿し込んだり取り出したりすることが可能なヘルメット用カードケースおよびカードケースを備えたヘルメットを提供することにある。
【０００５】
【課題を解決するための手段】
本発明のヘルメット用カードケースは、内部に収容されるＩＤカードなどのカードの表示が外から見えるようにしたカバー部と、該カバー部との間でカード収容室を形成すると共に下部にカードの挿入用の下方開口部を開設したケース本体と、該下方開口部の付近に設けられると共に上記カード収容室内に収容されたカードの落下を防止するストッパと、上記ケース本体または上記カバー部の上記下方開口部付近に下方に開放して形成された切欠き部から構成されることを特徴とする。また、上記カバー部をヘルメットの側面部に形成すると共に、上記ケース本体を該側面部の内側に設けたことを特徴とする。さらに、上記カード収容室内に、カバー部を固定する手段を設けたことも特徴とする。更に又、上記カバー部を固定する手段としては、上記カバー部の裏側から前記カード収容室内に突出して、上記ケース本体との間でカード挿入用のスリットを形成する押さえリブであるか、または、上記カバー部との間でカードを弾性的に挟むための上記ケース本体に取り付けられた板バネであるか、あるいは、上記カバー部の裏側から前記カード収容室内に突出した押えリブと、上記板バネから構成されることも特徴とする。また、本発明のカードケースを備えたヘルメットは、上記カードケースをヘルメットの側面部に設けたことを特徴とする。
【０００６】
【発明の実施の形態】
以下、本発明の実施例について図面を参照しながら説明する。図１において、１はヘルメットであって、その側面部１ａにカードケース２が一体的に設けられている。
【０００７】
図２に示すように、上記カードケース２は、カバー部２ａと、該カバー部２ａとの間でカード収容室２ｂを形成するケース本体２ｃと、上記カバー部２ａから上記カード収容室２ｂ内に突出して上記ケース本体２ｃとの間にスリットＳを形成する押えリブ２ｄと、カードの落下を防止するストッパ２ｅから構成されている。
【０００８】
上記カバー部２ａは、上記カード収容室２ｂ内に収容したカードが外部からよく見えるように、透明となっている。本実施例において、カバー部２ａは、上記ヘルメット側面部１の曲面に沿ったカーブを有しており、しかも、カードケース２がヘルメット１の側面部１ａから外方に突出することはないので、ヘルメットが工事中の内装面などの物に当たってこれを傷つける恐れはない。
【０００９】
また、本実施例において、上記カードケース２は予め透明樹脂で成形され、これをヘルメット成形用の金型内にセットしてからヘルメット材料を射出成形して製造するようになっている。上記ケース本体２ｃは、図２（Ｃ）から明らかなように、ヘルメット材料とカードケース２の透明材料との複合構造となっているが、本発明のケース本体はこれに限定するものではなく、ヘルメット材料のみ、あるいはカードケースの透明材料のみで構成してもよい。上記ケース本体２ｃの下端部には、背面側および下方に開放した切欠き部２ｃ′が形成されている。
【００１０】
図２（Ｃ）から明らかなように、上記押えリブ２ｄには、下方から挿し込まれるカードをスリットＳに円滑に案内するためのガイド面２ｄ′が形成されている。
【００１１】
上記ストッパ２ｅは、上記ケース本体２ｃの下端（切欠き部２ｃ′部分を除く）からカード収容室２ｂの下方に延出していて、上記スリットＳに挟み込まれたカードの落下を防止するようになっている。なお、通常のＩＤカード等のカードＣは、プラスチックなど弾力性に富んだ材料から形成されているので、上記スリットＳ内に挟まれた状態では、図３（Ｂ）に示すように、上記ケース本体２ｃに沿った状態で保持され、上記ストッパ２ｅによりその落下を効果的に防止することができる。
【００１２】
上記実施例のカードケースは以上のように構成されているので、カードＣをカードケース２内にセットする場合には、図３（Ａ）に示すように、カードＣの下端部を指で掴んだ状態で、カード収容室２ｂ内に下方から押し込み、カードＣの上端部を上記スリットＳに挟み込む。なお、上記ケース本体２ｃには切欠き部２ｃ′が開設されているので、図示のように、カードＣを掴んだ指先をカード収容室２ｂの内部にまで入り込ませることができ、その結果、カードＣをカード収容室２ｂ内に完全かつ確実に挿入することができる。一方、カードＣを抜き取る場合には、上記挿入の操作を逆に行えばよい。
【００１３】
図４は、上記実施例におけるカード押さえ構造（押えリブ２ｄ）の改変例を示すもので、上記押えリブ２ｄに代えて、押えリブ２ｆをカード収容室２ｂの中間位置にまで突設すると共に、該押えリブ２ｆに対面するケース本体２ｃの位置に板バネ２ｇを取り付けて、両者の間でカードＣを弾性的に挟んで保持するようになっている。保持されたカードＣの下方には落下防止用のストッパ２ｈがカバー部２ａの下端からカード収容室２ｂの下方に突出している。
【００１４】
上記実施例のカードケース２はヘルメット１の側面部１ａに一体的に形成されているが、本発明はこれに限定するものではなく、カードケース２を独立して構成し、これをヘルメット１の側面部１ａに着脱自在に取り付けるようにしてもよい。
【００１５】
図５は、本発明のヘルメット用カードケースのまた別の実施例を示すもので、ヘルメットの側面部１ａには、透明なカバー部１ａ′が一体的に設けられている。該カバー部１ａ′の内側には、カードホルダ３が設けられている。該カードホルダ３の上部中央には差込片３ａが形成されていると共に、上部両側には係合部３ａ′が形成され、さらに下部両側に取付片３ａ″が形成されていて、上記差込片３ａは、ヘルメットの内側に形成された係合溝１ｂ内に差し込まれ、また、上記係合部３ａ′は、ヘルメット１の内側に形成された係止片１ｃに係止めされ、さらに上記取付片３ａ″は、ヘルメット１の内側に接着剤等により固定されている。
【００１６】
上記カバー部１ａ′とカードホルダ３の間には、カード収容室３ｂが形成されていて、下方開口部３ｂ′からカードＣを差し入れたり、引き抜いたりするようになっている。
【００１７】
上記カードホルダ３の下部には、上記下方開口部３ｂ′に向けてストッパ３ｃが突設されている。該ストッパ３ｃの下面には斜面３ｃ′が形成されていて、カードＣを下方開口部３ｂ′に円滑に案内できるようになっている。また、上記カードホルダ３の下部には切欠き部３ｄが形成されている。
【００１８】
本実施例のヘルメット用カードケースは以上のように構成されているので、カードＣを挿入する場合には、図５（Ｂ）（Ｃ）から分かるように、カードＣをヘルメットの側面部１ａの内側彎曲面に沿って挿入する。彎曲状態でカード収容室３ｂ内に挿入されたカードＣは、カード収容室３ｂ内に入るとその弾発力により真っ直ぐに戻って、図５（Ｂ）に示すように納まる。この状態で、カードＣはストッパ３ｃにより落下が防止される。
【００１９】
カードＣを取り出す場合には、上記カードホルダ３の下部に開設されている切欠き部３ｄから内部のカードＣを押さえると、カードＣがヘルメットの側面部１ａに押し付けられて彎曲するので、そのまま下方にスライドさせるカード収容室３ｄから取り出すことができる。
【００２０】
図６は、本発明のヘルメット用カードケースの更に別の実施例を示すもので、カードケース４はケース本体４′とカバー部４″から構成されている。該カバー部４″には、透明窓４ａが設けられ、その下部は切欠き部４ｂが形成されている。上記ケース本体４′はプッシュリベット４ｃを介してヘルメットの側面部１ａに取り付けられる。
【００２１】
上記ケース本体４′とカバー部４″の間にはカード収容室４ｄが形成されていて、その下方に形成された下方開口部４ｄ′からカードＣを差し入れたり、引き抜いたりするようになっている。
【００２２】
上記ケース本体４′には上記カード収容室４ｄに向けて押さえリブ４ｅが形成されている。該押さえリブ４ｅには案内面４ｅ′が形成されていて、カードＣが上記カバー部４″内側に沿って挿入されるように誘導案内するようになってる。
【００２３】
上記カバー部４″の下部には、上記下方開口部４ｄ′に向けてストッパ４ｆが突設されていて、挿入されたカードＣの落下を防止している。
【００２４】
【発明の効果】
１）カードを迅速かつ確実に、しかも容易に挿し込んだり取り出したりすることができる。
２）カードを確実かつ安全に保持することができる。
【図面の簡単な説明】
【図１】本発明のカードケースを備えたヘルメットの一実施例を示す斜視図である。
【図２】本発明のカードケースの正面図（Ａ）、（Ａ）の矢視イから見た底面図（Ｂ）および（Ｂ）のローロ線に沿った断面図（Ｃ）である。
【図３】図１の実施例の作用説明図である。
【図４】本発明のカードケースの別の実施例を示す断面図（Ａ）およびその底面図（Ｂ）である。
【図５】本発明のカードケースのまた別の実施例を示す裏面図（Ａ）、側面図（Ｂ）、底面図（Ｃ）、ニ−ニ断面図（Ｄ）、ホ−ホ断面図（Ｅ）およびヘ−ヘ断面図（Ｆ）である。
【図６】本発明のカードケースの更に別の実施例を示す斜視図（Ａ）、正面図（Ｂ）、底面図（Ｃ）、ト−ト断面図（Ｄ）およびチ−チ断面図（Ｅ）である。
【符号の説明】
１  ヘルメット
１ａ  側面部
１ａ′カバー部
１ｂ  係合溝
１ｃ  係止片
２    カードケース
２ａ  カバー部
２ｂ  カード収容室
２ｃ  ケース本体
２ｃ′切欠き部
２ｄ  押えリブ
２ｄ′ガイド面
２ｅ  ストッパ
２ｆ  押えリブ
２ｇ  板バネ
２ｈ  ストッパ
３    カードホルダ
３ａ  差込片
３ａ′係合部
３ａ゛取付片
３ｂ  カード収容室
３ｂ′下方開口部
３ｃ  ストッパ
３ｃ′斜面
３ｄ  切欠き部
４    カードケース
４′  ケース本体
４゛  カバー部
４ａ  透明窓
４ｂ  切欠き部
４ｄ  ブッシュリベット
４ｄ′下方開口部
４ｅ  押えリブ
４ｅ′案内面
４ｆ  ストッパ
Ｃ  カード
Ｓ  スリット
【図１】
0003945061.tif 000002
【図２】
0003945061.tif 000003
【図３】
0003945061.tif 000004
【図４】
0003945061.tif 000005
【図５】
0003945061.tif 000006
【図６】
0003945061.tif 000007